(57)【要約】【課題】温度変化の大きい環境で長時間用いても、コマ収差の発生を防ぐことができる浮上型光ピックアップ装置を提供することである。【解決手段】浮上型光ピックアップ装置のスライダと対物レンズとが、同一材料によって一体的に形成される。これによってスライダと対物レンズとは、熱膨張係数が一致し、温度変化に対する寸法変化が等しく、温度変化の大きい環境で長時間用いても、スライダと対物レンズとの間で異なる収縮膨張変化を生じない。したがって対物レンズの光軸は、広い温度範囲の環境で長時間用いてもスライダに対して変化せず、光源からの光を記録媒体の記録面に一定の状態で集光することができるので、スライダの信頼性を高めることができる。【選択図】      図１
2004158061.tif 000002
【特許請求の範囲】
【請求項１】
回転される記録媒体に光源からの光を照射して、記録媒体に情報を記録しまたは記録媒体に記録される情報を再生する装置であって、
記録媒体に対向して設けられ、記録媒体の回転に伴う雰囲気気体の気流によって、記録媒体から浮上するスライダと、スライダと同一の材料から成り、スライダに一体的に形成され、光源からの光を記録媒体に集光する対物レンズとを有する浮上型光ピックアップ装置。
【請求項２】
記録媒体が予め定める規定回転速度で回転されている記録媒体の記録面とスライダの記録媒体に対向する対抗面との成す角度だけ、対物レンズの光軸が前記対向面に対して傾斜していることを特徴とする請求項１記載の浮上型光ピックアップ装置。
【請求項３】
スライダの記録媒体に対向する対抗面は、第１面と第２面とを有し、第１面は、記録媒体が予め定める規定回転速度で回転されている記録媒体の記録面と第２面との成す角度だけ、第２面に対して傾斜して形成され、対物レンズの光軸は、第１面に対して垂直であることを特徴とする請求項１記載の浮上型光ピックアップ装置。
【発明の詳細な説明】
【０００１】
【発明の属する技術分野】
本発明は、情報の記録または再生する浮上型光ピックアップ装置に関する。
【０００２】
【従来の技術】
図６は、光ピックアップ装置１を簡略化して示す正面図である。対物レンズ７は、記録媒体２の面振れおよびトラックの振れに追従するために、アクチュエータ８によって、フォーカス方向およびラジアル方向に駆動できるように、図示しない対物レンズホルダと板バネとによって支持されている。記録媒体２は、スピンドルモータ３によって回転され、光源４からの光９は、コリメータレンズ５、偏向ミラー６、対物レンズ７を経て記録媒体２の記録面２ａにビームスポット９ａを形成し、ビームスポット９ａであるビームウエスト経の大きさに応じた記録密度で情報の記録および再生が行われる。
【０００３】
図７は、光源からの光９が記録媒体２に集光する部分を拡大して示す断面図である。図７（ａ）は、ビームスポット部分を示し図７（ｂ）は、光源からの光９が記録媒体２に集光する部分を示す。図７（ａ）において、ビームウエストの直径ｄは、
ｄ＝λ／ＮＡ                                          …（１）
で与えられる。ここで、λはレーザの波長、ＮＡは開口数である。式（１）中の「／」は、商を示す演算記号である。記録媒体２の屈折率をｎとすると、開口数ＮＡは、図７（ｂ）において、
ＮＡ＝ｎ・ｓｉｎθ                                    …（２）
で与えられる。記録媒体に対して高い記録密度を実現するためには、ビームウエストｄを小さくする必要がある。ビームウエストｄを小さくするには、式（１）および式（２）から、光源からの光を、赤から青へ変更することによって波長λを短くするとともに、対物レンズ７の開口数ＮＡを０．６から０．８５などへ大きくする。これによって小さなビームスポットを形成し、高密度化に向けての取組みがなされている。
【０００４】
対物レンズ７の光軸と記録媒体２の記録面２ａとの角度が垂直の状態からずれるとコマ収差が発生するので、記録媒体２ａ上のビームスポットは、変形する。また特に開口数ＮＡが大きくなると、角度誤差に対するコマ収差の発生量が大きくなるが、対物レンズ７の光軸と記録媒体２の記録面２ａとの角度が、同じ傾きの場合、開口数ＮＡの３乗でコマ収差の発生量が大きくなっていく。このため記録媒体２に対する情報の記録または再生に悪い影響を与えてしまう。したがって対物レンズ７の光軸と記録媒体２の記録面２ａとの角度が、垂直の状態で精度良く維持するためには、図６で示したスピンドルモータ３と光ピックアップ装置１との位置関係を精度良く保つ必要がある。また記録媒体２にも反りがあるので、対物レンズ７の光軸と記録媒体２の記録面２ａとの角度が直角の状態で精度良く維持するためには、たとえば光ピックアップ装置１または対物レンズ７を、記録媒体２の反りに沿うように姿勢を制御する。
【０００５】
またビームスポットを小さくするにつれて、フォーカスずれに対する許容値は、小さくなるので、記録媒体の揺れに沿って対物レンズを配置しなければならない。したがって記録媒体に対して一定の位置に配置するために磁気ディスク装置で用いられているような浮上型スライダに対物レンズを搭載し、数１００μｍの記録媒体の振れに対して、対物レンズが記録媒体に対して一定の距離を保持し、そのわずかな変動分をリレーレンズで補正する浮上型光ピックアップ装置が用いられる。
【０００６】
図８は、従来の技術の浮上型光ピックアップ装置１０を簡略化して示す断面図である。浮上型光ピックアップ装置１０は、固定光学系部１０ａと可動部１０ｂとを含んで構成される。固定光学系部１０ａは、光源と記録媒体１７の記録面１７ａで反射した戻り光とを検出する光検出部を内蔵した光源ユニット１１と、リレーレンズ１２とを有する。可動部１０ｂは、偏向ミラー１３とスライダ１５とを有する。スライダ１５には、対物レンズ１４が取付けられており、対物レンズ１４の光軸と記録媒体１７に対向する対向面とは、垂直である。スライダ１５は、図示しないサスペンションで可動部１０ｂによって支持されている。
【０００７】
光源ユニット１１から出射された光１６は、リレーレンズ１２を経て、偏向ミラー１３で偏向された後、対物レンズ１４に入射し、記録媒体１７の記録面１７ａに集光する。記録面１７ａによって反射された光１６は、同経路を通って再び、光源ユニット１１に戻り、光信号を検出する。
【０００８】
このときスライダ１５は、記録媒体１７の回転に伴って発生し、方向Ａに向かって流れる気流によって、数μｍの間隔をあけて記録媒体１７上を浮上している。スライダ１５は、記録媒体１７の面振れに対して、追従し、わずかに変動をしながら記録媒体１７との距離を保っている。わずかな変動に対しては、光源ユニット１１からのフォーカス誤差信号に基づき、リレーレンズ１２が光源からの光１６の光軸に沿う方向Ｂ１，Ｂ２に動くことによって、フォーカスサーボが行われる。またトラッキングに関しては、光源ユニット１１からのラジアル誤差信号に基づき、低周波数領域におけるトラックの大きな変位に対して、図示しないアクチュエータで可動部１０ａ全体を動かすことによって追従させる。また高周波数領域におけるトラックの小さな変位に対しては、偏向ミラー６を回転駆動させることによって追従させる（たとえば特許文献１参照）。
【０００９】
図９は、スライダ１５を形成する金型を示す断面図である。図８に示す構成においては、スライダ１５に対物レンズ１４を精度良く取付け、記録媒体１７と対物レンズ１４の光軸とが垂直になるようにすることが重要である。このために、たとえば図に示す金型を用いてスライダ１５が形成される。２つの金型１８ａ，１８ｂは、型締めした状態においてキャビティ空間２０を形成するように配置される。金型１８ａは、記録媒体１７に対向する対向面が形成される金型である。金型１８ｂは、対向面の反対側の面が形成される金型である。金型１８ｂには、キャビティ空間２０内に突出する突起部１８ｃが形成されている。突起部１８ｃの上面１８ｄは、対物レンズ１９の曲面に対応した凹部を形成している。
【００１０】
スライダ１５は、別に形成された対物レンズ１９を突起部１８ｃの上面１８ｄに載置した後、２つの金型１８ａ，１８ｂを型締めした状態において形成されるキャビティ空間２０に樹脂を注入することによって形成される（たとえば特許文献２参照）。
【００１１】
【特許文献１】
特開２０００−３５７３３５号公報
【特許文献２】
特開２０００−１４９３１４号公報
【００１２】
【発明が解決しようとする課題】
これら従来技術のような対物レンズ１４とスライダ１５とが別体の構成では、対物レンズ１４とスライダ１５との熱膨張係数が異なるので、対物レンズ１４とスライダ１５とは、温度変化に対する寸法変化が異なる。したがって温度変化の大きい環境で長時間用いた場合、スライダ１５と対物レンズ１４との間で異なる収縮膨張変化が生じ、対物レンズ１４の光軸とスライダ１５との相対角度が変化するおそれがある。対物レンズ１４の光軸とスライダ１５との相対角度が変化すると、光源からの光に対して、対物レンズ１４の光軸とスライダ１５との相対角度に応じたコマ収差が発生し、記録媒体１７に対する情報の記録または再生に悪い影響を与えてしまう。
【００１３】
またスライダ１５は、記録媒体１７の回転に伴って発生する気流によって記録媒体１７から浮上する。このときスライダ１５の記録媒体１７に対向する対向面は、記録媒体１７の記録面１７ａに対してわずかに傾く。したがってスライダ１５の対向面と対物レンズ１４の光軸とが垂直になるようにスライダを形成する場合には、スライダ１５の記録媒体１７に対向する対向面と記録面１７ａとの角度に応じたコマ収差が発生し、記録媒体１７に対する情報の記録または再生に悪い影響を与えてしまう。
【００１４】
したがって本発明の目的は、温度変化の大きい環境で長時間用いても、コマ収差の発生を防ぐことができる浮上型光ピックアップ装置を提供することである。
【００１５】
【課題を解決するための手段】
本発明は、回転される記録媒体に光源からの光を照射して、記録媒体に情報を記録しまたは記録媒体に記録される情報を再生する装置であって、
記録媒体に対向して設けられ、記録媒体の回転に伴う雰囲気気体の気流によって、記録媒体から浮上するスライダと、スライダと同一の材料から成り、スライダに一体的に形成され、光源からの光を記録媒体に集光する対物レンズとを有する浮上型光ピックアップ装置である。
【００１６】
本発明に従えば、スライダは、記録媒体が回転することに伴って発生する気流によって記録媒体から浮上する。このスライダに設けられる対物レンズによって、光源からの光を記録媒体に集光させ、情報を再生または記録する。このような浮上型光ピックアップ装置のスライダと対物レンズとが、同一材料によって一体的に形成される。これによってスライダと対物レンズとは、熱膨張係数が一致し、温度変化に対する寸法変化が等しく、温度変化の大きい環境で長時間用いても、スライダと対物レンズとの間で異なる収縮膨張変化を生じない。したがって対物レンズの光軸は、広い温度範囲の環境で長時間用いてもスライダに対して変化せず、光源からの光を記録媒体の記録面に一定の状態で集光することができるので、スライダの信頼性を高めることができる。
【００１７】
本発明において、記録媒体から浮上するとは、記録媒体から離反する方向へ変位して、間隔をあけることを意味する。
【００１８】
また本発明は、記録媒体が予め定める規定回転速度で回転されている記録媒体の記録面とスライダの記録媒体に対向する対抗面との成す角度だけ、対物レンズの光軸が前記対向面に対して傾斜していることを特徴とする。
【００１９】
本発明に従えば、記録媒体が回転されているとき、記録媒体から浮上しているスライダの記録媒体に対向する対向面は、記録媒体の記録面に対して角度を成している。対物レンズの光軸は、この記録媒体の記録面と対向面との成す角度だけ、スライダの対向面に対して傾斜している。これによって記録媒体を回転させて情報を記録または再生するとき、対物レンズの光軸を、記録面に対して垂直にすることができる。したがって光源からの光は、記録面に対して垂直に照射され、コマ収差の発生が防がれるので、高精度に記録媒体に情報を記録または再生することができる。
【００２０】
また本発明は、スライダの記録媒体に対向する対抗面は、第１面と第２面とを有し、第１面は、記録媒体が予め定める規定回転速度で回転されている記録媒体の記録面と第２面との成す角度だけ、第２面に対して傾斜して形成され、対物レンズの光軸は、第１面に対して垂直であることを特徴とする。
【００２１】
本発明に従えば、記録媒体が回転されているとき、記録媒体から浮上しているスライダの記録媒体に対向する対向面の第１面は、スライダの対向面の第２面と記録媒体の記録面との成す角度だけ、第２面に対して傾斜して形成される。これによってスライダの記録媒体に対向する対向面の第１面は、記録媒体の記録面に対して平行に形成することができる。対物レンズの光軸は、第１面に対して垂直であるので、この記録面に対しても垂直である。したがって光源からの光は、記録面に対して垂直に照射され、コマ収差の発生が防がれるので、高精度に情報を記録または再生することができる。また第１面を基準に対物レンズの光軸を形成することができるので、求められる精度に加工し易くなる。
【００２２】
【発明の実施の形態】
図１は、本発明の実施の一形態の浮上型光ピックアップ装置２１を簡略化して示す断面図である。図２は、本発明の実施の一形態の浮上型光ピックアップ装置２１を簡略化して示す平面図である。図１は、図２のＸＸ断面を示す図である。浮上型光ピックアップ装置２１は、スライダと一体に構成されるスライダ一体型光ピックアップ装置である。浮上型ピックアップ装置の長辺方向は、記録媒体２８の半径方向に大略的に垂直に配置される。記録媒体２８は図６に示す光ピックアップ装置１と同様にスピンドルモータによって回転される。浮上型光ピックアップ装置２１は、光源２２と、ビームスプリッタ２３と、フォーカシング素子２４と、偏光ミラー２５と、スライダ２６と、対物レンズ２７と、光検出部２９とを含んで構成される。スライダ２６の材料は、たとえば光学ガラスまたはプラスチックなどである。詳細に述べると、スライダ２６が略長方形短筒状の周壁部８０と底壁部８１とを有する有底筒状に形成され、底壁部８１が記録媒体２８に臨んでおり、その底壁部８１の外側の面がスライダ２６の記録媒体２８に対向する対向面２６ａになる。周壁部８０は、前記長方形の長辺に相当する２つの長辺部分８２と短辺に相当する２つの短辺部分８３とを有し、対物レンズ２７は、底壁部８１における周壁部８０の一方の短辺に隣接する領域に形成されている。このように対物レンズ２７は、底壁部８１と周壁部８０とが屈曲してつながる屈曲部分付近に形成され、変形しにくく構成されている。また対物レンズ２７は、底壁部８１を厚み方向両側から削り込むことによって形成されており、底壁部８１の厚み寸法領域内に形成されている。これによって対物レンズ２７が他の物体に接触して傷つくことが防がれる。スライダ２６は、箱状に形成されている。対物レンズ２７は、スライダ２６の記録媒体２８に対向する部分に、スライダ２６と同一材料でかつ一体的に形成される。光源２２と、ビームスプリッタ２３と、フォーカシング素子２４と、偏光ミラー２５と、光検出部２９とは、箱状に形成されるスライダ２６の内壁のうち、対向面２６ａと向合う面に取付けられている。光源２２は、光源２２からの光の光軸２２ａが対向面２６ａと略平行になるように配置している。フォーカシング素子２４は、２つのマイクロレンズを用いたリレーレンズをマイクロアクチュエータによって変位させる構成であるか、あるいは電圧によって、屈折率を変化させる電気光学素子を用いる構成である。
【００２３】
浮上型光ピックアップ装置２１は、記録媒体２８に対向して設けられ、図示しないサスペンションによって支持される。記録媒体２８が回転していないとき、スライダ２６の記録媒体２８に対向する対向面２６ａは、記録媒体２８に当接し、記録媒体２８の記録面２８ａの対して略平行に配置される。浮上型光ピックアップ装置２１は、記録媒体２８が回転方向３０，３１に回転することによって、発生する雰囲気気体の気流によって揚力を得て、記録媒体２８から浮上する。浮上した浮上型光ピックアップ装置２１は、サスペンションが浮上型光ピックアップ２１を支持する支持力と揚力との釣合いによって記録媒体２８と一定の間隔を保っている。光源２２からの光は、ビームスプリッタ２３、フォーカシング素子２４を経て、偏向ミラー２５によって対物レンズ２７側に反射され、対物レンズ２７に入射し、記録媒体２８の記録面２８ａに集光する。また記録面２８ａによって反射された光は、偏向ミラー２５、フォーカシング素子２４を経て、ビームスプリッタ２３で反射し、光検出部２９に集光する。
【００２４】
図３は、浮上型光ピックアップ装置２１の対物レンズ２７近傍を拡大した断面図である。浮上型光ピックアップ装置２１は、記録媒体２８の回転に伴って発生する気流によって揚力を得て、記録媒体２８から浮上する。このときスライダ２６の記録媒体２８に対向する対向面２６ａは、記録媒体２８の記録面２８ａに対して平行でなく、記録媒体２８が予め定める規定回転速度で回転されている記録媒体２８の記録面２８ａとスライダ２６の記録媒体２８に対向する対抗面２６ａとの成す角度αだけ傾いた状態になる。スライダ２６が角度αだけ傾いた状態で浮上しているとき、光源２２からの光に対するコマ収差を最小にするには、対物レンズ２７の光軸２７ａが記録面２８ａに対して、垂直になっている必要がある。このため予め対物レンズ２７の光軸２７ａを対向面２６ａに対して、角度αだけ傾斜させて形成することによって、スライダ２６が浮上したとき、対物レンズ２７の光軸２７ａと記録面２８ａとは、垂直になる。このとき対物レンズ２７の光軸２７ａと対向面２６ａとの角度θ１は、９０°＋αである。また偏向ミラー２５の反射面と対向面２６ａとの角度は、偏向ミラー２５によって反射された光源２２からの光の光軸２２ａが、対物レンズの光軸２７ａに一致するように設定される。本実施の形態では、光源２２から光の光軸２２ａと対向面２６ａとは略平行なので、偏向ミラー２５における光源からの光の光軸２２ａの入射光と反射光との角度θ２が９０°＋αになるように、偏向ミラー２５の反射面と対向面２６ａとの角度を設定する。
【００２５】
以上説明した浮上型光ピックアップ装置２１によれば、スライダ２６は、記録媒体２８が回転することに伴って発生する気流によって記録媒体２８から浮上する。このスライダ２６に設けられる対物レンズ２７によって、光源２２からの光を記録媒体２８に集光させ、情報を再生または記録する。このような浮上型光ピックアップ装置２１のスライダ２６と対物レンズ２７とが、同一材料によって一体的に形成される。これによってスライダ２６と対物レンズ２７とは、熱膨張係数が一致し、温度変化に対する寸法変化が等しく、温度変化の大きい環境で長時間用いても、スライダ２６と対物レンズ２７との間で異なる収縮膨張変化を生じない。したがって対物レンズ２７の光軸２７ａは、広い温度範囲の環境で長時間用いてもスライダ２６に対して変化せず、光源２２からの光を記録媒体２８の記録面２８ａに一定の状態で集光することができるので、スライダ２６の信頼性を高めることができる。
【００２６】
また記録媒体２８が回転されているとき、記録媒体２８から浮上しているスライダ２６の記録媒体２８に対向する対向面２６ａは、記録媒体２８の記録面２８ａに対して角度を成している。対物レンズ２７の光軸２７ａは、この記録媒体２８の記録面２８ａと対抗面２６ａとの成す角度だけ、スライダ２６の対向面２６ａに対して傾斜している。これによって記録媒体２８を回転させて情報を記録または再生するとき、対物レンズ２７の光軸２７ａを、記録面２８ａに対して垂直にすることができる。したがって光源２２からの光は、記録面２８ａに対して垂直に照射され、コマ収差の発生が防がれるので、高精度に記録媒体２８に情報を記録または再生することができる。
【００２７】
また光源２２は、光源２２から光の光軸２２ａが対向面２６ａと略平行になるように配置しているので、ビームスプリッタ２３、フォーカシング素子２４など他の光学部品をスライダ２６の対向面２６ａと略平行に、精度よく取付ることができる。したがって光軸などの配置に関しチェックおよびアライメントがしやすい構成にすることができる。
【００２８】
図４は、本発明の実施の他の形態の浮上型光ピックアップ２１Ａを簡略化して示す断面図である。図５は、本発明の実施の他の形態の浮上型光ピックアップ装置２１Ａを簡略化して示す平面図である。図４は、図５のＹＹ断面を示す図である。図１および図２と対応する部分には同一の符号を付し、異なる部分についてだけ説明し、同様の構成を有する部分の説明は適宜省略する。スライダ２６Ａの記録媒体２８に対向する対向面２６Ａａは、第１面２６Ａｂと第２面２６Ａｃとを有する。第１面２６Ａｂは、記録媒体２８が予め定める規定回転速度で回転されている記録媒体２８の記録面２８ａと第２面２６Ａｃとの成す角度αだけ、第２面２６Ａｃに対して傾斜して形成される。これによって第１面２６Ａｂは、記録媒体２８の記録面２８ａに対して平行に形成される。対物レンズ２７は、対物レンズ２７の光軸２７ａが第１面２６Ａｂに垂直になるように第１面２６Ａｂに形成される。したがって第１面２６Ａｂと記録媒体２８の記録面２８ａとが平行であるので、対物レンズ２７の光軸２７ａは、記録面２８ａに対して垂直である。
【００２９】
これによってスライダ２６Ａに対物レンズ２７を一体的に加工するときには、第１面２６Ａｂを基準に、対物レンズ２７の光軸２７ａを形成することができるので、加工するうえで、精度を管理しやすい構成にすることができる。また光源２２は、光源２２からの光の光軸２２ａが第１面２６Ａｂに対して、平行になるように配置される。偏向ミラー２５の反射面と対向面２６ａの第１面２６Ａｂとの角度は、偏向ミラー２５によって反射された光源からの光の光軸２２ａが、対物レンズ２７の光軸２７ａに一致するように設定される。本実施の他の形態では、上記の構成によって、偏向ミラー２５と第１面２６Ａｂとの角度を４５度に設定することができる。したがって偏向ミラー２５の固定精度などの管理がしやすい構成にすることができる。
【００３０】
このような構成の浮上型光プックアップ装置２１Ａもまた、スライダ２６Ａａが、第１面２６Ａｂと第２面２６Ａｃとを有することによる効果を除いて、図１〜図３の浮上型光ピックアップ装置２１と同様の効果を達成することができる。
【００３１】
以上説明した浮上型光ピックアップ装置２１Ａによれば、記録媒体２８が回転されているとき、記録媒体２８から浮上しているスライダ２６Ａの記録媒体２８に対向する対向面２６Ａａの第１面２６Ａｂは、スライダ２６Ａの対向面２６Ａａの第２面２６Ａｃと記録媒体２８の記録面２８ａとの成す角度だけ、第２面２６Ａｃに対して傾斜して形成される。これによってスライダ２６Ａの記録媒体２８に対向する対向面２６Ａａの第１面２６Ａｂは、記録媒体２８の記録面２８ａに対して平行に形成することができる。対物レンズ２７の光軸２７ａは、第１面２６Ａｂに対して垂直であるので、記録媒体２８の記録面２８ａに対しても垂直である。したがって光源２２からの光は、記録面２８ａに対して垂直に照射され、コマ収差の発生が防がれるので、高精度に情報を記録または再生することができる。また第１面２６Ａｂを基準に対物レンズ２７の光軸２７ａを形成することができるので、求められる精度に加工し易くなる。
【００３２】
【発明の効果】
本発明によれば、スライダは、記録媒体が回転することに伴って発生する気流によって記録媒体から浮上する。このスライダに設けられる対物レンズによって、光源からの光を記録媒体に集光させ、情報を再生または記録する。このような浮上型光ピックアップ装置のスライダと対物レンズとが、同一材料によって一体的に形成される。これによってスライダと対物レンズとは、熱膨張係数が一致し、温度変化に対する寸法変化が等しく、温度変化の大きい環境で長時間用いても、スライダと対物レンズとの間で異なる収縮膨張変化を生じない。したがって対物レンズの光軸は、広い温度範囲の環境で長時間用いてもスライダに対して変化せず、光源からの光を記録媒体の記録面にコマ収差を生じない一定の状態で集光することができるので、スライダの信頼性を高めることができる。
【００３３】
また本発明によれば、記録媒体が回転されているとき、記録媒体から浮上しているスライダの記録媒体に対向する対向面は、記録媒体の記録面に対して角度を成している。対物レンズの光軸は、この記録媒体の記録面と対抗面との成す角度だけ、スライダの対向面に対して傾斜している。これによって記録媒体を回転させて情報を記録または再生するとき、対物レンズの光軸を、記録面に対して垂直にすることができる。したがって光源からの光は、記録面に対して垂直に照射され、コマ収差の発生が防がれるので、高精度に記録媒体に情報を記録または再生することができる。
【００３４】
また本発明によれば、記録媒体が回転されているとき、記録媒体から浮上しているスライダの記録媒体に対向する対向面の第１面は、スライダの対向面の第２面と記録媒体の記録面との成す角度だけ、第２面に対して傾斜して形成される。これによってスライダの記録媒体に対向する対向面の第１面は、記録媒体の記録面に対して平行に形成することができる。対物レンズの光軸は、第１面に対して垂直であるので、記録媒体の記録面に対しても垂直である。したがって光源からの光は、記録面に対して垂直に照射され、コマ収差の発生が防がれるので、高精度に情報を記録または再生することができる。また第１面を基準に対物レンズの光軸を形成することができるので、求められる精度に加工し易くなる。
【図面の簡単な説明】
【図１】本発明の実施の一形態の浮上型光ピックアップ装置２１を簡略化して示す断面図である。
【図２】本発明の実施の一形態の浮上型光ピックアップ装置２１を簡略化して示す平面図である。
【図３】浮上型光ピックアップ装置２１の対物レンズ２７近傍を拡大した断面図である。
【図４】本発明の実施の他の形態の浮上型光ピックアップ２１Ａを簡略化して示す断面図である。
【図５】本発明の実施の他の形態の浮上型光ピックアップ装置２１Ａを簡略化して示す平面図である。
【図６】光ピックアップ装置１を簡略化して示す正面図である。
【図７】光源からの光９が記録媒体２に集光する部分を拡大して示す断面図である。
【図８】従来の技術の浮上型光ピックアップ装置１０を簡略化して示す断面図である。
【図９】スライダ１５を形成する金型を示す断面図である。
【符号の説明】
２１  浮上型光ピックアップ装置
２６  スライダ
２６ａ  対向面
２７  対物レンジ部
２７ａ  対物レンズ部の光軸
２８  記録媒体
２８ａ  記録面
２６Ａｂ  対向面の第１面
２６Ａｃ  対向面の第２面
【図１】
2004158061.tif 000003
【図２】
2004158061.tif 000004
【図３】
2004158061.tif 000005
【図４】
2004158061.tif 000006
【図５】
2004158061.tif 000007
【図６】
2004158061.tif 000008
【図７】
2004158061.tif 000009
【図８】
2004158061.tif 000010
【図９】
2004158061.tif 000011